Podtech/llm-jp-corpus-v4-ja_patent huggingface dataset:
(57)【要約】【目的】傘の一部を地面に対して平行に近い部分を作ることにより機能的で安全を備えた傘をつくり出す。【構成】図１の１の部分を地面に対して平行に近い部分をつくり出す。１の部分の広さは広くても狭くてもかまわない、面積は問わない【選択図】図１
2016214812.tif 000002
【特許請求の範囲】
【請求項１】
傘を差した時に傘の一部が地面に対して  平行に近い状態で使用できる、平らな部分のある傘である。
【請求項２】
傘を差した時の傘の一部が地面に対して平行に近い状態になる部分の広さ大きさは限定しない、
平らな部分のある傘である。
【発明の詳細な説明】
【技術分野】
【０００１】本発明は、図１の１で解るように傘の一部分を地面に対して平行な部分を作り出したものである。このようにすることにより前方を見やすくすることができる平らな部分のある傘である。
【背景技術】
【０００２】  従来から使用されてきた傘は、全体が丸みをおびていた、その為に前方が見にくく傘全体を高く持ち上げる、又は、前方にあたる部分だけを上にあげて利用することが多かった。これらを改善する為に考案された平らな部分のある傘である。
【発明の開示】
【発明が解決しようとする課題】
【０００３】従来の傘では傘全体が丸みをおびていた、その為に前方が見にくくなり傘全体を高く持ち上げる、又は、前方にあたる部分を上げるなどの工夫をして差していた。傘を高い位置で差すことも、前方を高く持ち上げることも傘の下の部分の面積を狭めることとなり濡れる確率が高くなるものであった。
本考案は、これらのことを解決する為の平らな部分のある傘である。
【課題を解決する為の手段】
【０００４】  本発明は、傘の一部分が差した時に地面に対して平行に近い状態になるように考え出されたものである。本考案の傘を使用すれば前方が見やすくなるので、傘を高い位置まで上げる必要もなく、又、傘の前方部を上にあげる必要もない平らな部分のある傘である。
【発明の効果】
【０００５】本発明は、傘の一部を差した時に地面に対して平行に近い状態になるように考え出されているので、それを前方に持ってくることにより、従来の傘より前が見やすくなり傘を高い位置で差す、又は、傘の前方を上向きにするなどの必要はなく、傘を低い位置で差すことができ又、前方を上げる必要もなくなり雨に濡れなくなる。また低学年の子供たちが前方が見にくい為、傘を担ぐような格好で歩くところがよく見受けられるが、これらも改善される。
【発明を実施する為の最良の形態】
【０００６】以下本発明の平らな部分のある傘の実施の一形態について図面を参照して説明する。
【０００７】  図１は本発明の斜視図である、本発明の説明を解りやすくする為の斜め上方からの図面である。図１の１の部分が本発明である、他の部分と比べて地面に対して平行に近い状態である。
図１の１の部分の幅の広さは問わない場所も図１の１，２，３，４，５，どこでも対応できる使い場所もカ所数もとはない。
【実施例】
【０００８】  本考案の平らの部分のある傘の実施例であるが、本考案の図１の１の部分が地面に対して平行に近い状態にある為前が見やすい。よって傘を上向きに差す必要はないし、高く差す必要もない、又、風が強い
吹きぶりの時は本考案の１の部分を前に倒せばいいのだが、本考案状この状態での使用は傘の壊れる可能性は強いので、風が強い吹きぶりの時は、５の部分を風上に向け１の部分を風下に向ける、この結果いままで販売されてきた既存の傘は、傘の中に風が巻き込み傘が壊れてしまっていた。
本考案の平らの部分のある傘は、１の部分が地面と平行に近い状態に又後ろに有ることにより風の流れをよくするので、風を巻き込むことなく、風が突き抜けてゆく為傘は従来の物より丈夫な物となった。
従来の傘では、前の部分が目の前に被さるようになり前が見にくい状態であり、子供や老人は、傘の前の部分を上に向けるようにして使用していたので、傘の面積が狭まり濡れることが多かった。又、前が見にくいと言うことで傘を高く上にあげて差すことが普通となっていた。傘の位置が高くなれば当然その分だけ身体が濡れやすくなる欠点があった。本考案でこれらは改善することができた。
【産業上の利用の可能性】
【０００９】小学校低学年やお年寄りはもちろん一般の人も、傘をさすと前が見えぬくくなるため、傘の前の部分を上に向けて歩くところがよく見受けられる。こうすることにより傘の面積部分が狭くなり背中が濡れて嫌な思いもするし風を引く恐れもある。本考案の場合は、傘を前に下げることなく使用でき、体力が無い人たちの健康に気遣い前が見やすくなることにより、交通事故や災害から身を守る災害防止の抑制の利用価値がある、地面に対して平行に近い平らな部分のある傘である。
【図面の簡単な説明】
【００１０】
【図１】  本発明の傘を解りやすく説明する為の斜め上からの斜視図である。
【図２】  本発明の考案の傘の側面図である。
【図３】  本発明の傘の底面図である。
【図４】  本発明の傘の平面図である。
【符号の説明】
【００１１】１、  本発明の平らな部分である。
２、  本発明の平らな部分として使用できる部分
３、  本発明の平らな部分として使用できる部分
４、  本発明の平らな部分として使用できる部分
５、  本発明の平らな部分として使用できる部分
６、  傘の柄の部分
７、  傘の持ち手の部分
【図１】
2016214812.tif 000003
【図２】
2016214812.tif 000004
【図３】
2016214812.tif 000005
【図４】
2016214812.tif 000006
(57)【要約】      （修正有）【課題】傘を乾かす時、従来では傘を開いて地面に取っ手の部分をおき斜めして乾かしたり、もの干し竿に取っ手の部分をひっかけて逆にして乾かしていました。風が吹いたり雨が降ったりして困ることが多くありました。しかし、傘の先端部に穴を開けることで、この穴にＳ字フックを用いることで、もの干し竿だけでなく洗濯用ロープなどでも簡単で雨・風を心配することなく干すことができるようになった。また収納の際２つ穴あることで場所をとらず、整理整頓して収納することができます。【解決手段】傘１の先端部２に穴４を開けることで、Ｓ字フックでもの干し竿だけでなく、洗濯用ロープなどに逆にすることなく傘１を開いたままつるすことができるので穴４を開けることで雨を心配することなく干すことができる。特に収納の際２つ穴４があることで傘１の向きを自由に変えることができるので非常に便利である。【選択図】図１
2016214818.tif 000002
【特許請求の範囲】
【請求項１】
傘の先端部でつり下げる効果
【発明の詳細な説明】
【技術分野】
【０００１】本発明は、傘の先端部の部品に穴を開け、その部品を傘に取り付けその穴にＳ字フックをひっかけ、雨が降っている時の状態のような傘の開けかたをしＳ字フックの付いたままの傘をもの干し竿などにつり下げて乾かし収納の際にもＳ字フックの付いた傘を収納場所にそのＳ字フックをかけて収納する。
【背景技術】
【０００２】従来は、傘の先端部に穴の開いた傘はなかった。
【先行技術文献】
【特許文献】
【０００３】
【発明の概要】
【発明が解決しようとする課題】
【０００４】従来の傘だと、雨が降って使用した後傘を乾かすのに傘の持つ所（以後この部品を取っ手と表わします。）をもの干し竿に逆につるして開いて乾かしますが時間がかかったり、取っ手を地面に置き斜めの状態で乾かしたりすると風に飛ばされたりして良い状態で乾かすというわけではなかった。
収納の際にも取っ手をひっかけて逆さにして収納していた。
先端部に穴が開いた傘だと、その穴にＳ字フックをひっかけて傘の表が開いた状態でもの干し竿にＳ字フックの付った傘を開けて乾かすことができるので単時間で干すことができ、万一雨が降っても安心して干すことができ、フックを固定しておけば風にも飛ばされにくい。
収納の際も場所をとらず整理して収納できる。
【課題を解決するための手段】
【０００５】傘１の先端部２に２ヶ所に穴を開ける。先端部の上部から２０ｍｍ下に大きさ４．５ｍｍの穴を取っ手３と平行するように穴をまず１つ開ける。
２つ目の穴４は先端部２の先端７から３７ｍｍ下の所に穴を開ける。
１つ目の穴４と２つ目の穴４の直経は４．５ｍｍの穴４とする。
２つ目の穴４は１つ目の穴４に対し直角の向きに穴４を開ける。
このように２つの穴４を開けることでより便利に使用することができる。
Ｓ字フック５の大きさは長さ８０ｍｍ  直経３ｍｍ  Ｓ字フック５のＲ６の部分は３０ｍｍのステンレス製のフックを使用。
【発明の効果】
【０００６】傘１に先端部２に穴４を２つ開けることで洗濯用ロープこの場合はフック５を洗濯バサミで固定すればよく、もの干しハンガーロープは穴が開いているのでその穴に傘１をつるしたフック５をかければ簡単に干すことができる。もの干し竿にも簡単に傘１をつるしたフック５をひっかけ乾かすことができる
特に収納の際に２つ穴４があることで整理整頓して収納できる。
風を気にしたり雨を気にしたりして干しなくても安心して外で干すことができるようになった。
【図面の簡単な説明】
【０００７】
【図１】  本発明の正面図
【０００８】
【図２】  本発明の穴４を示す断面図
【図３】  Ｓ字フック５の断面図
【符号の説明】
【０００９】１  傘本体
２  先端部
３  持つ所（取っ手）
４  穴
５  Ｓ字フック
６  Ｓ字フックのＲの部分
７  傘の最先端
【図１】
2016214818.tif 000003
【図２】
2016214818.tif 000004
【図３】
2016214818.tif 000005
(57)【要約】【課題】  本発明は、デリケートなストッキングを洗濯した場合に、洗濯バサミを使わずに干してもストッキングが滑り落ちないように、横バーの外周部分にゴムなどの滑り止め材を巻き付ける形状で設けたストッキング干し具を提供する。【解決手段】  ストッキングが滑り落ちないように横バー（１）に滑り止め材（２）を設けてストッキングが洗濯バサミによって傷つけられないことを目的にしたストッキング干し具。【選択図】図１
2016214813.tif 000002
【特許請求の範囲】
【請求項１】
一本の棒（３）の横バー（１）に滑り止め材（２）を被せ、棒（３）の先端部（４）を設けたストッキング干し具。
【発明の詳細な説明】
【技術分野】
【０００１】  本発明は、デリケートなストッキングを洗濯した場合に、洗濯バサミを使わずに干してもストッキングが滑り落ちないように、横バーの外周部分にゴムなどの滑り止め材を巻き付ける形状で設けたストッキング干し具に関するものである。
【背景技術】
【０００２】  従来、洗濯バサミを使う洗濯ハンガーがあった。
ストッキングを干すハンガーに関連した先行技術は、風とおるちゃん（特許文献１参照）、小物ハンガー（特許文献２参照）、多機能ハンガー（特許文献３参照）などが提案されている。
【先行技術文献】
【特許文献】
【０００３】
【特許文献１】  特開２０１１−２３５０６３号公報
【特許文献２】  特開２００５−１１８２３５号公報
【特許文献３】  登録実用新案第３１６５９８１号公報
【発明の概要】
【発明が解決しようとする課題】
【０００４】  従来のハンガーには、次のような問題点があった。
（イ）デリケートなストッキングやランジェリー類の女性下着を洗濯して干すための既存の洗濯ハンガーは、洗濯バサミなどによって繊維を傷める問題があった。
（ロ）洗濯ハンガーにストッキングを掛けても滑り落ちる問題があった。
本発明は、以上の問題点を解決しようとするものである。
【課題を解決するための手段】
【０００５】  一本の棒（３）の横バー（１）に滑り止め材（２）を被せ、棒（３）の先端部（４）を設ける。
以上のように構成されたストッキング干し具である。
【発明の効果】
【０００６】  洗濯するデリケートなストッキングやランジェリーの繊維を傷つけずに干せるようになった。
また、軽量な吊り具を付加することで旅行先のホテルで手洗いしたストッキングやランジェリー一式が数時間で乾くようになって着替えの荷物が減った。
【図面の簡単な説明】
【０００７】
【図１】  本発明の斜視図である。
【図２】  本発明の断面図である。
【図３】  本発明の使用状態を示した説明図である。
【発明を実施するための形態】
【０００８】  以下、本発明の実施の形態を説明する。
一本の棒（３）の横バー（１）に滑り止め材（２）を被せ、棒（３）の先端部（４）を設ける。
デリケートなストッキングを洗濯して干す場合に、洗濯バサミを使わずに干してもストッキングが滑り落ちないように、横バー（１）の外周部分にゴムなどの滑り止め材（２）を巻き付ける形状で設ける。
アルミなど軽量で柔軟性のある一本の棒（３）の先端部（４）を、フックや鴨居などに吊り下げ可能な曲線状に曲げる。
棒（４）の直線部分に当たる横バー（１）に、芯の部分が筒状に空洞の、筒状ゴムなどの滑り止め材（２）を被せる。
本発明は、以上の構成によりなっている。
本発明の使い方を説明する。
棒（３）の先端部（４）を、フックや鴨居や物干し具に引っかけてから、直線部分の横バー（１）の滑り止め部（２）に、洗濯したストッキング（５）を打ち掛ける。
この際、滑り止め効果によってストッキング（５）は、洗濯バサミを使わなくても滑り落ちない。
【符号の説明】
【０００９】  １  横バー
２  滑り止め部
３  棒
４  棒の先端部
５  ストッキング
【図１】
2016214813.tif 000003
【図２】
2016214813.tif 000004
【図３】
2016214813.tif 000005
(57)【要約】【課題】  自分の背中を自分で叩いて、甲状腺の不調を正さねばならなかった。【解決手段】  ２本の棒の端を、関節部の両端に連結し、連結部が肩より後になる様に１本の棒を肩に乗せてその端を効き手で握り他の１本の端をもう一つの手で支え胸の前の手を前後に動かせ、背中に沿っている棒につけた関節部に平行な突起が背中の特定の部分を、自力で叩けて甲状腺の不調が直り、２本の棒を平行にし、突起のない棒に突起を他の棒に向いてつけて２の腕、太もも、足、手を挟んで、成長ホルモンを発生させ、この加圧は挟む角度をさぐれば、必ず気持ちの良い処に当り、加圧も一番気持ちの良い強さをさぐる様になって、このあんま器以外の事は、必然に忘れ、自然に、長時間精神統一が行われ処置後は体がおだやかになり背部一面の骨が引締まり鎧を着た様になる。【選択図】図１
2016214814.tif 000002
【特許請求の範囲】
【請求項１】
あんま器に於いて、２本の棒を有し、この２本の棒の端が、関節で連結し、２本の棒を平行にした時、互に相手の捧に向った突起を設置し、１本の棒を肩に乗せ、効き手でその先端を握り、他の１本をぶら下げて、ぶら下げた棒の先端を残りの手で支え、棒の端を握った手を、前後に動かしてぶら下げた棒に付けた突起で皮膚を叩いてあんまをしたり、２の腕、太もも、足、手を挟んで加圧するあんま器に於いて２本の棒との端で結合する関節を有する様に見えるあんま器の棒に、２本の棒を平行にした時、互に相手の棒に向った突起を作るあんま器の製造。
【請求項２】
あんま器に於いて、２本の棒を有し、この２本の棒の端が、関節で連結した様に見えるあんま器で２本の棒を平行にした時互に相手の棒に向った突起を設置し、２の腕、太もも、足、手を挟んで加圧するあんま器に於いて、２本の棒を平行にした時、互に相手の棒に向った突起を作るあんま器の製造。
【発明の詳細な説明】
【技術分野】
【０００１】  この発明は健康を増進する器具に関する。
【背景技術】
【０００２】  各種指圧器、あんま器がある。
【発明の開示】
【発明が解決しようとする課題】
【０００３】  甲状腺の不調を積極的に直す方法は、西洋医学にはなく、人の手で、背骨の横で、肩胛骨の中間部を１日に２００回以上叩けば良くなるがこの方法が取れる場合は殆んどなく、自分で、叩く方法を作らねばならない。【０００４】  本発明は、背中の特定の部分を、自力で叩く器具の工夫の開発である。
【課題を解決する為の手段】
【０００５】  ２本の棒を、１箇の関接で連結しその１本を肩に置き、効き手でその端を握り他の１本を背中に沿ってたらし、その端をもう一つの手で支え、肩に置いた１本の端を握った手を胸の前で、前後に動かして、背中にたらした１本の棒の突起で、背中を叩いた。
【発明の効果】
【０００６】  背部を叩く強さが、自由に調整出来、甲状腺の不調が直った。
【０００７】  突起部や棒部で腕や脚を挟んで、圧力を加えると、大量の成長ホルモンが分泌し、不調部が若返り、背部が引締まって鎧を着た様になる。
【発明を実施する為の形態】
【０００８】  図面を参照しながら説明する。図１は腕や脚を挟んで、圧力を加える時の形で、図２は背中を叩く時の図で、関節は、復元力、弾力のある薄い板状物であり、図３は関節の部分を、上から見た図である。
【図面の簡単な説明】
【００１３】  図１は、２本の棒を平行にした時、上から見た図で、図２は背中を叩く時の形で図３は２本の棒を平行にした時、関節の部分を、上から見た図である。
【符号の説明】
【００１４】１  関節
２  棒
３  突起
【図１】
2016214814.tif 000003
【図２】
2016214814.tif 000004
【図３】
2016214814.tif 000005
【手続補正書】
【提出日】平成27年7月8日(2015.7.8)
【手続補正１】
【補正対象書類名】明細書
【補正対象項目名】００１３
【補正方法】変更
【補正の内容】
【００１３】
【図１】２本の棒を平行にした時、上から見た図である。
【図２】背中を叩く時の図である。
【図３】２本の棒を平行にした時、関節の部分を、上から見た図である。
(57)【要約】【課題】名刺入れから名刺（４）を一枚づつ簡単に取り出せるようにする。【解決手段】両面が滑らない押出し部（６）で名刺（４）を送り出すようにする。【選択図】図１
2016214797.tif 000002
【特許請求の範囲】
【請求項１】
収納部のどちらか片方に長穴（５）をあけ、これに押出し部（６）を設けた名刺入れ
【発明の詳細な説明】
【技術分野】
【０００１】本案は名刺を一枚づつ取り出せるようにした名刺入れである。
【背景技術】
【０００２】名刺入れに長穴があっても押出し部がないために指の状態によっては滑って名刺を送り出せなかった。
【先行技術文献】
【特許文献】
【０００３】
【特許文献１】特開２０１５−０１６０５５
【発明の概要】
【発明が解決しようとする課題】
【０００４】コンパクトな作りにして外見的にもよく、ポケットへの出し入れもスムーズにでき、指側も滑らないようにする。
【課題を解決するための手段】
【０００５】押出し部の両面を滑らないようにして、これを着脱できるようにコンパクトに取り付ける。
【発明の効果】
【０００６】外見がよく、ポケットへの出し入れもスムーズであり、指が滑らず、押出し部が傷んだときなど取り換えができる。
【図面の簡単な説明】
【０００７】
【図１】二つ折りの名刺入れを開いた斜視図である。
【図２】収納部下の外側の平面図である。
【図３】Ａ―Ａ’の拡大断面図である。
【図４】型枠の斜視図である。
【図５】引出板の平面図である。
【発明を実施するための形態】
【０００８】本案は革製など軟らかいもので作り、名刺を一枚づつ取り出せるようにした名刺入れである。収納部下（３）の中央に長穴（５）をあけ、この長穴（５）に名刺（４）を送り出す押出し部（６）を取り付ける。押出し部（６）は両面にぶつぶつなどのある摩擦が大きく弾力性の高い薄いゴム製などにする。長穴（５）と押出し部（６）の左右にマジックテープや嵌合式で着脱できるように取り付ける。また、嵌合部の軸を長くして押出し部（６）をスライドできるようにしてもよい。これとは別に長穴（５）と押出し部（６）は収納部上（２）に設けてもよい。また、押出し部（６）は外面でなく、内面に同じように設けてもよい。それから押出し部（６）は長めにして内面に一端を取り付けてもよく、回るようにしてもよい。押出し部（６）は両面が摩擦の大きな薄く硬いものでもよい。
本案は以上に限らず型くずれ防止と名刺（４）が外へこぼれ出ないように型枠（８）を作り収納部に入れてもよい。この場合収納部下（３）と同じ位置に長穴（５）をあけ、名刺（４）の出入り口にカバー（９）を着脱できるように設ける。カバー（９）と底板  には開口部（１１）を設ける。
上記とは別に長穴（５）を設けない方法である。薄く硬い片面を摩擦の大きな面とした引出板（１２）を作り、一辺の中央に取っ手（１３）を付ける。引出板（１２）と取っ手（１３）は一体でもよい。名刺（４）を取り出すときは取っ手（１３）を引くと名刺（４）が一枚乗って出てくる。
【符号の説明】
【０００９】１    二つ折り表
２    収納部上
３    収納部下
４    名刺
５    長穴
６    押出し部
７    取付け部
８    型枠
９    カバー
１０  底板穴
１１  開口部
１２  引出板
１３  取っ手
【図１】
2016214797.tif 000003
【図２】
2016214797.tif 000004
【図３】
2016214797.tif 000005
【図４】
2016214797.tif 000006
【図５】
2016214797.tif 000007
【手続補正書】
【提出日】平成27年6月17日(2015.6.17)
【手続補正１】
【補正対象書類名】明細書
【補正対象項目名】全文
【補正方法】変更
【補正の内容】
【発明の詳細な説明】
【技術分野】
【０００１】本案は名刺を一枚づつ取り出せるようにした名刺入れである。
【背景技術】
【０００２】名刺入れに長穴があっても押出し部がないために指の状態によっては滑って名刺を送り出せなかった。
【先行技術文献】
【特許文献】
【０００３】
【特許文献１】特開２０１５−０１６０５５
【発明の概要】
【発明が解決しようとする課題】
【０００４】コンパクトな作りにして外見的にもよく、ポケットへの出し入れもスムーズにでき、指側も滑らないようにする。
【課題を解決するための手段】
【０００５】押出し部の両面を滑らないようにして、これを着脱できるようにコンパクトに取り付ける。
【発明の効果】
【０００６】外見がよく、ポケットへの出し入れもスムーズであり、指が滑らず、押出し部が傷んだときなど取り換えができる。
【図面の簡単な説明】
【０００７】
【図１】二つ折りの名刺入れを開いた斜視図である。
【図２】収納部下の外側の平面図である。
【図３】Ａ―Ａ’の拡大断面図である。
【図４】型枠の斜視図である。
【発明を実施するための形態】
【０００８】本案は革製など軟らかいもので作り、名刺を一枚づつ取り出せるようにした名刺入れである。収納部下（３）の中央に長穴（５）をあけ、この長穴（５）に名刺（４）を送り出す押出し部（６）を取り付ける。押出し部（６）は両面にぶつぶつなどのある摩擦が大きく弾力性の高い薄いゴム製などにする。長穴（５）と押出し部（６）の左右にマジックテープや嵌合式で着脱できるように取り付ける。また、嵌合部の軸を長くして押出し部（６）をスライドできるようにしてもよい。これとは別に長穴（５）と押出し部（６）は収納部上（２）に設けてもよい。また、押出し部（６）は外面でなく、内面に同じように設けてもよい。
本案は以上に限らず型くずれ防止と名刺（４）が外へこぼれ出ないように型枠（８）を作り収納部に入れてもよい。この場合収納部下（３）と同じ位置に長穴（５）をあけ、名刺（４）の出入り口にカバー（９）を着脱できるように設ける。カバー（９）と底板    には開口部（１１）を設ける。
【符号の説明】
【０００９】１    二つ折り表
２    収納部上
３    収納部下
４    名刺
５    長穴
６    押出し部
７    取付け部
８    型枠
９    カバー
１０  底板穴
１１  開口部
【手続補正書】
【提出日】平成27年6月17日(2015.6.17)
【手続補正１】
【補正対象書類名】図面
【補正対象項目名】図５
【補正方法】削除
【補正の内容】
(57)【要約】【課題】この発明は、食事用の箸や菜箸を兼ね、卵のカラザを確実に切断できて掬うことができるカラザ取り箸を提供することを目的とする。【解決手段】  一対の棒状の本体と、この本体の先端近傍に相対向するカラザ取り部を設け、このカラザ取り部は、先端側のカラザ掛け部と、このカラザ掛け部の本体の側に設けたカラザ掬い部と、このカラザ掬い部の側方に設けたカラザ切り部とから構成され、カラザ切り部によりカラザを切り取り、カラザ掬い部にカラザを収容し、カラザを取り上げることができる。【選択図】図１
2016214798.tif 000002
【特許請求の範囲】
【請求項１】
一対の棒状の本体と、この本体の先端近傍に相対向するカラザ取り部を設け、このカラザ取り部は、先端側のカラザ掛け部と、このカラザ掛け部の本体の側に設けたカラザ掬い部と、このカラザ掬い部の側方に設けたカラザ切り部とから構成されることを特徴とするカラザ取り箸。
【請求項２】
請求項１のカラザ取り箸において、そのカラザ取り部の先端側にカラザ挟み部を設けたことを特徴とするカラザ取り箸。
【請求項３】
請求項１または請求項２のカラザ取り箸の先端のカラザ掛け部からカラザ掛け突起を延在させたことを特徴とするカラザ取り箸。
【発明の詳細な説明】
【技術分野】
【０００１】  この発明は、卵のカラザを除去するためのカラザ取り箸に関する。
【背景技術】
【０００２】  従来、卵、特に生で食べる卵のカラザを取ることがよく行われ、箸やスプーンを使って取る場合があった。しかし、この方法では、カラザが卵の黄身や白身に張り付いて取り難かった。この為、次の従来技術が開示されていた。
【先行技術文献】
【特許文献】
【０００３】
【特許文献１】特開２００３−３０４９７８
【特許文献２】特開２００８−６２４９
【特許文献３】実用新案登録３１６５３３４
【特許文献４】実用新案登録３１６７４９
【特許文献５】特
【発明の概要】
【発明が解決しようとする課題】
【０００４】  この為、特許文献１の技術が開示されていた。トング１の先端にガード３を設けたものであるが、カラザを取るための専用の道具であり、この為だけに引き出し等から取り出し、使用後は洗って収納しなければならず、返って煩わしかった。
特許文献２の技術も、ピンセットの先に突起部４と排出口５を設けたものであり、これもカラザ取りの専用道具であり、特許文献１と同様の問題があった。【０００５】  特許文献３の技術は、スプーンの先端２１に導入溝１２と袋小路溝１３を設けたものである。この導入溝１２と袋小路溝１３にカラザを挟み取ろうとするものであるが、これらの溝にカラザが上手く入らず、また入ってもカラザが切断されず、滑り落ちることが多かった。【０００６】  特許文献４の従来技術は、箸の先端に切れ込み部３を設けて、これにカラザを挟んで摘み取ろうとするものであるが、カラザが滑って上手く掴めず、またカラザが切り取り難かった。【０００７】  特許文献５の従来技術も、箸の先端に凹部を設けてカラザを掬い取ろうとするものであるが、カラザが上手く切断できず、滑り落ちることが多かった。
【課題を解決するための手段】
【０００８】  一対の棒状の本体と、この本体の先端近傍に相対向するカラザ取り部を設け、このカラザ取り部は、先端側のカラザ掛け部と、このカラザ掛け部の本体の側に設けたカラザ掬い部と、このカラザ掬い部の側方に設けたカラザ切り部とから構成されることを特徴とするカラザ取り箸である。
【発明の効果】
【０００９】  この発明により上記の問題点を解決し、食事用の箸や菜箸を兼ね、卵のカラザを確実に切断できて掬うことができるカラザ取り箸を提供することができる。
【図面の簡単な説明】
【００１０】
【図１】第一の実施例のカラザ取り箸の斜視図である。
【図２】第二の実施例のカラザ取り箸の斜視図である。
【発明を実施するための形態】
【００１１】  一対の棒状の本体と、この本体の先端近傍に相対向するカラザ取り部を設け、このカラザ取り部は、先端側のカラザ掛け部と、このカラザ掛け部の本体の側に設けたカラザ掬い部と、このカラザ掬い部の側方に設けたカラザ切り部とから構成されることを特徴とするカラザ取り箸である。
【００１２】  上記のカラザ取り箸において、そのカラザ取り部の先端側にカラザ挟み部を設けたことを特徴とするカラザ取り箸である。
上記のカラザ取り箸の先端のカラザ掛け部からカラザ掛け突起を延在させたことを特徴とするカラザ取り箸である。
【実施例】
【００１３】  図１により第一の実施例を説明する。カラザ取り箸１０は、一膳の箸の本体２０と、この本体２０の先端近傍に相対向するカラザ取り部３０を設けて構成されている。このカラザ取り部３０は、先端側のカラザ掛け部３２と、このカラザ掛け部３２の本体２０の側のカラザ掬い部３３と、このカラザ掬い部３３の側方のカラザ切り部３４とから構成されている。【００１４】  一対のカラザ掬い部３３により凹部が形成され、この凹部にカラザが収容される。カラザ掛け部３２には、返しが設けられ収容されたカラザが滑り落ちないようにしている。カラザ掬い部３３の側部に鋭角を形成するカラザ切り部３４が設けられ、カラザがスムーズに切り取られるようにしている。【００１５】  さらに、カラザ掛け３２より端部側に凹凸を有するカラザ挟み部３１が設けられ、カラザが滑り落ない効果を補完している。【００１６】  図２により第二の実施例を説明する。この実施例では、カラザ掛け部３２を延長してカラザ掛け突起３５を設け、カラザが滑り落ちないようにする効果をより強化している。また、本体２０の頭部には皿４０を設け、味見をしたり卵を掻き混ぜ易くしたりしている。この実施例のカラザ取り箸の先端部は角αだけ角度を設けてあるので本体２０が角度を持って交差していても、カラザ切り部３４を隙間なく平行に保つことができる。
【産業上の利用可能性】
【００１７】  この発明は、卵のカラザ取りだけでなく、高齢者や手の不自由な人が食物を摘み易い箸としても利用可能である。
【符号の説明】
【００１８】１０はカラザ取り箸
２０は本体
３０はカラザ取り部
３１はカラザ挟み部
３２はカラザ掛け部
３３はカラザ掬い部
３４はカラザ切り部
３５はカラザ掛け突起
４０は皿
【図１】
2016214798.tif 000003
【図２】
2016214798.tif 000004
(57)【要約】【課題】本発明は、高温下でも保存可能な切り裂き容易な３層構造の医薬品包装用フィルムを提供すること。【解決手段】密度が０．９１０〜０．９３０ｇ／ｃｍ３で、１９０℃での流動性が０．５〜０．９３０ｇ／１０ｍｉｎの直鎖状低密度ポリエチレンからなる外層と、密度が０．９１０〜０．９３０ｇ／ｃｍ３で、１９０℃での流動性が０．５〜０．９３０ｇ／１０ｍｉｎの直鎖状低密度ポリエチレンと密度１．０２０ｇ／ｃｍ３でガラス転移温度が１００℃以上である環状ポリエチレンからなり、該環状ポリエチレンを４０％以上６０％未満の割合で含む中間層と、密度が０．９１０〜０．９３０ｇ／ｃｍ３の低密度ポリエチレンまたは密度が０．９１０〜０．９３０ｇ／ｃｍ３で、１９０℃での流動性が０．５〜０．９３０ｇ／１０ｍｉｎの直鎖状低密度ポリエチレンからなる内層の三層から構成される医薬品包装用多層フィルムとする。【選択図】  なし【特許請求の範囲】
【請求項１】
密度が０．９１０〜０．９３０ｇ／ｃｍ３で、１９０℃での流動性が０．５〜０．９３０ｇ／１０ｍｉｎの直鎖状低密度ポリエチレンからなる外層と、
密度が０．９１０〜０．９３０ｇ／ｃｍ３で、１９０℃での流動性が０．５〜０．９３０ｇ／１０ｍｉｎの直鎖状低密度ポリエチレンと密度１．０２０ｇ／ｃｍ３でガラス転移温度が１００℃以上である環状ポリエチレンからなり、該環状ポリエチレンを４０％以上６０％未満の割合で含む中間層と、密度が０．９１０〜０．９３０ｇ／ｃｍ３の低密度ポリエチレンまたは密度が０．９１０〜０．９３０ｇ／ｃｍ３で、１９０℃での流動性が０．５〜０．９３０ｇ／１０ｍｉｎの直鎖状低密度ポリエチレンからなる内層の三層から構成される医薬品包装用多層フィルム。
【発明の詳細な説明】
【技術分野】
【０００１】
本発明は、高温下でも保存可能な切り裂き容易な３層構造の医薬品包装用フィルムに関する。
【背景技術】
【０００２】
内容物を封入するための包装用袋は熱などでフィルムを溶かして密閉している。
包装用袋を開封する場合には刃物を用いて開けることもあるが、道具が無い状況下では手で破って開けることがある。
しかし手で開封した場合きれいにフィルムを破くことは難しく、また開封した時に粉状、粒状の内容物が飛び出すおそれがあった。
【０００３】
上記課題を解決するために、袋の素材に工夫を施し引き裂き易くしたフィルムが開発されている。
【０００４】
特許文献１には、縦方向及び横方向の引き裂き性に優れた易引き裂き性フィルムが記載されている。
【０００５】
上記特許文献１記載の包装袋は、引き裂きやすさは向上したが材料のガラス転移点が低く、夏場高温となる倉庫などの通気性が悪い場所で保管すると劣化してしまうことがあった。
【先行技術文献】
【特許文献】
【０００６】
【特許文献１】特許第５６４６２２２号
【発明の概要】
【発明が解決しようとする課題】
【０００７】
本発明は、上記したような従来技術の問題点を解決すべくなされたものであって、引き裂き易く保存し易いフィルムを提供する。
【課題を解決するための手段】
【０００８】
請求項１に係る発明は、密度が０．９１０〜０．９３０ｇ／ｃｍ３で、１９０℃での流動性が０．５〜０．９３０ｇ／１０ｍｉｎの直鎖状低密度ポリエチレンからなる外層と、
密度が０．９１０〜０．９３０ｇ／ｃｍ３で、１９０℃での流動性が０．５〜０．９３０ｇ／１０ｍｉｎの直鎖状低密度ポリエチレンと密度１．０２０ｇ／ｃｍ３でガラス転移温度が１００℃以上である環状ポリエチレンからなり、該環状ポリエチレンを４０％以上６０％未満の割合で含む中間層と、密度が０．９１０〜０．９３０ｇ／ｃｍ３の低密度ポリエチレンまたは密度が０．９１０〜０．９３０ｇ／ｃｍ３で、１９０℃での流動性が０．５〜０．９３０ｇ／１０ｍｉｎの直鎖状低密度ポリエチレンからなる内層の三層から構成される医薬品包装用多層フィルムに関する。
【発明の効果】
【０００９】
請求項１に係る発明によれば、シール強度とカット性のバランスが優れており、引き裂き容易でかつ高温下でも保存が可能な医薬品包装用フィルムを提供する。
【発明を実施するための形態】
【００１０】
以下、本発明に係る包装袋の好適な実施形態について説明する。
【００１１】
本発明の包装袋は外層（ラミネート層）、中間層（コア層）及び内層（シール層）からなる構成をとる。
外層は直鎖状低密度ポリエチレン（以下Ｃ４−ＬＬＤという）、中間層はＣ４−ＬＬＤと環状ポリオレフィン（以下ＣＯＣという）及び内層Ｃ４−ＬＬＤまたはポリエチレン（以下ＬＤＰＥという）から構成される。
なおＣ４−ＬＬＤは枝を有しない直鎖構造であるが、ＬＤＰＥは分岐を有している分枝構造である。
【００１２】
引き裂き容易性からＣ４−ＬＬＤの密度は０．９１０〜０．９３０ｇ／ｃｍ３が好ましく、より好ましくは０．９１５〜０．９２５ｇ／ｃｍ３がよい。
Ｃ４−ＬＬＤの流動性は１９０℃で０．５〜２．０ｇ／１０ｍｉｎ、好ましくは０．９１５〜０．９２５ｇ／１０ｍｉｎが良い。
１９０℃とは一般的に樹脂の融解粘度を計測する時に用いる温度である。
この範囲の流動性を有することでフィルム原料の混合時にむらができず、フィルム加工安定性および外観が良好となる。
【００１３】
ＣＯＣの密度は引き裂き容易性や夏場の高温下で保存しても品質に影響が出ないことから密度を１．０２０ｇ／ｃｍ３、ガラス転移温度を１００度以上にすることが好ましい。
【００１４】
ＬＤＰＥはヒートシール性から密度０．９１０〜０．９３０ｇ／ｃｍ３のものが好ましい。
【００１５】
本件発明は内層に静防性を付してもよい。
静防性を付すことで、静電気の発生を防ぐことができ、粉末状、顆粒状の内容物が包装材にくっつき取り出しにくくなることを防ぐ。
【００１６】
本件発明はフィルムのみで包装資材として使用しても良いが、他のフィルムとラミネートを行って、シーラントフィルムとして使用してもよい。
【００１７】
本件発明は上記構成の３層構造であるため引き裂き強度が低く引き裂き易く、縦方向、横方向への引き裂きが容易である。
【００１８】
フィルムの厚さは５０μｍ以下が良く、シール強度安定性の観点から３０μｍ以上が好ましい。
外層：中間層：内層の厚さの比率は１：１：１でも良く、１：１.６：１という比率にしてもよい。
本発明の各層の薄さの比を１：１：１のものと１：１．６：１の物とを比較した試験結果を下記表１に示す。
引張試験はＪＩＳ  Ｋ−７１２７による方法を用いる
詳しくは一定の幅に切ったフィルムを、片方を固定し、もう片方を引張速度５０ｍｍ／ｍｉｎで引張り、フィルムが切断した時の荷重を測定して行った。
引き裂き強度はＪＩＳ  Ｋ‐７１２８に基づきエルメンドルフ引き裂き試験を行った。
下記の表から３層の厚さの比率は１：１．６：１の方が直角方向の引張破断点伸度が低く裂け易いことが分かった。
2016214395.tif 000002
【産業上の利用可能性】
【００１９】
本件発明は切り裂き容易な医薬品包装用多層フィルムであり、またガラス転移温度が１００℃以上であるため夏場の高温下で保存しても品質に影響がない。
(57)【要約】【課題】  軽量で安価なウェーハ搬送機構を提供することである。【解決手段】  シリコンウェーハを吸引保持する保持部と、該保持部を移動させる駆動部とを備えたウェーハ搬送機構であって、該保持部はシリコンで形成されていることを特徴とする。【選択図】図３
2016062942.tif 000002
【特許請求の範囲】
【請求項１】
シリコンウェーハを吸引保持する保持部と、該保持部を移動させる駆動部とを備えたウェーハ搬送機構であって、
該保持部はシリコンで形成されていることを特徴とするウェーハ搬送機構。
【発明の詳細な説明】
【技術分野】
【０００１】
本発明は、シリコンウェーハを保持して搬送するウェーハ搬送機構に関する。
【背景技術】
【０００２】
半導体デバイス製造プロセスでは、半導体ウェーハの表面に格子状に形成された複数の分割予定ラインによって区画された各領域にＩＣ、ＬＳＩ等の半導体デバイスが形成される。
【０００３】
半導体ウェーハは研削装置によって裏面が研削されて所定の厚みに加工された後、切削装置等によって分割予定ラインに沿ってダイシングされ、個々の半導体デバイスチップに分割される。
【０００４】
半導体製造装置で用いられるウェーハ搬送機構には、様々なタイプのものがあり、例えば研削装置等で使用される搬送ロボットと呼ばれるウェーハ搬送機構がよく使用されている（例えば、特開２０１２−１０６３００号公報参照）。
【０００５】
ウェーハ搬送ロボットは、ウェーハを吸引保持する保持部（ハンド）と、保持部を移動させる複数のリンクを結合した駆動部とから構成される。保持部は通常アルミナセラミックスで形成されており、ウェーハに直接当接しても金属汚染等が発生せず、大口径のウェーハも安定して保持できるように構成されている。
【先行技術文献】
【特許文献】
【０００６】
【特許文献１】特開２０１２−１０６３００号公報
【発明の概要】
【発明が解決しようとする課題】
【０００７】
しかし、アルミナセラミックスは材料自体が高価であり、加工も難易度が高いため従来の保持部は高価になり易い。また、アルミナセラミックスは比較的重い材料であるため、保持部を移動させる駆動部も大きくなり、駆動部自体も高価になり易いという課題があった。
【０００８】
本発明はこのような点に鑑みてなされたものであり、その目的とするところは、軽量で安価なウェーハ搬送機構を提供することである。
【課題を解決するための手段】
【０００９】
本発明によると、シリコンウェーハを吸引保持する保持部と、該保持部を移動させる駆動部とを備えたウェーハ搬送機構であって、該保持部はシリコンで形成されていることを特徴とするウェーハ搬送機構が提供される。
【発明の効果】
【００１０】
本発明のウェーハ搬送機構によると、保持部をシリコンから形成したため、ウェーハ搬送機構の軽量化と低コスト化を実現することができる。また、シリコンは加工が容易である一方脆性材料であるため剛性が落ちるという問題があるが、複数枚のシリコンプレートを接着して保持部を形成することで、剛性を上げつつ、内部の吸引路を容易に形成することが可能となる。
【図面の簡単な説明】
【００１１】
【図１】半導体ウェーハの表面側斜視図である。
【図２】本発明実施形態に係るウェーハ搬送ロボットの斜視図である。
【図３】図３（Ａ）は保持部の分解斜視図、図３（Ｂ）は保持部の斜視図である。
【図４】吸引孔が選択的に吸引源に接続される保持部の平面図である。
【発明を実施するための形態】
【００１２】
以下、本発明の実施形態を図面を参照して詳細に説明する。図１を参照すると、本発明実施形態に係るウェーハ搬送ロボットで搬送する半導体ウェーハの表面側斜視図が示されている。
【００１３】
半導体ウェーハ（以下、単にウェーハと略称することがある）１１の表面１１ａには複数の分割予定ライン（ストリート）１３が格子状に形成されていると共に、分割予定ライン13で区画された各領域にＩＣ、ＬＳＩ等のデバイス１５が形成されている。１１ｂはウェーハ１１の裏面である。
【００１４】
図２を参照すると、本発明実施形態に係るウェーハ搬送ロボット１０の斜視図が示されている。ウェーハ搬送ロボット１０は、ベース１２と、ベース１２に装着された複数のリンクを回動可能に連結した駆動部１４と、駆動部１４の先端に連結された保持部（ハンド）１６とから構成される。
【００１５】
駆動部１４は、図示しない駆動手段により上下方向に移動される支持部材１８と、支持部材１８に対して回動可能に取り付けられた第１リンク２０と、第１リンク２０に対して回動可能に取り付けられた第２リンク２２と、第２リンク２２に対して回動可能に取り付けられた第３リンク２４とから構成される。第３リンク２４の先端部には、ウェーハ１１を吸引保持する保持部（ハンド）１６が取り付けられている。
【００１６】
図３に示すように、保持部１６は、第１シリコンプレート２６と、第１シリコンプレート２６と同一形状の第２シリコンプレート２８とを重ね合わせ、互いに接着して構成されている。
【００１７】
第１シリコンプレート２６には吸引路（吸引溝）３０が形成されており、第２シリコンプレート２８には吸引路３０に連通する複数の（本実施形態では４個）吸引孔３２が形成されている。図４に示すように、吸引孔３２は第１シリコンプレート２６に形成された吸引路３０及び電磁切替弁３４を介して吸引源３６に選択的に接続される。
【００１８】
保持部１６の形成方法について以下に説明する。第１シリコンプレート２６及び第２シリコンプレート２８はシリコンインゴットからスライスされたシリコンウェーハを馬蹄形状に加工して形成されている。吸引路３０は切削ブレードで切削して形成し、吸引孔３２はレーザービームのアブレーション加工により形成する。
【００１９】
上述した実施形態のウェーハ搬送ロボット１０は、保持部１６が２枚のシリコンプレートを接着して形成されているため、剛性を上げつつ、内部の吸引路３０を容易に形成することが可能である。
【００２０】
また、保持部１６が軽量であるため、駆動部１４も従来に比較して軽量に形成することができる。万が一保持部１６に破損等が発生しても、シリコン製保持部は安価であるため交換コストも安く済む。
【符号の説明】
【００２１】
１０    ウェーハ搬送ロボット
１１    半導体ウェーハ
１４    駆動部
１６    保持部（ハンド）
１８    支持部材
２０    第１リンク
２２    第２リンク
２４    第３リンク
２６    第１シリコンプレート
２８    第２シリコンプレート
３０    吸引路（吸引溝）
３２    吸引孔
【図１】
2016062942.tif 000003
【図２】
2016062942.tif 000004
【図３】
2016062942.tif 000005
【図４】
2016062942.tif 000006
(57)【要約】【課題】ロータリーエンジンの点火プラグ孔による圧縮ガス漏れを無くしたい。また点火を燃焼室でさせたい。【解決手段】従来のバンケル型ロータリーエンジンの点火プラグは中心電極と接地電極が一体になっているのでハウジング1の点火プラグ孔の中に設置されていてこのロータリーエンジンの構造上これを燃焼室に配置出来ない。これを解決するために2つの電極を分離してハウジング内周面に取り付け、ロータリセス部6に設置した導体7を中心電極3と接地電極12の間に入れて放電させて電気回路を作る。こうすることにより燃焼室近辺で少なくとも2箇所の放電をさせる事ができ又点火プラグ孔が不要となり圧縮ガス漏れも少なくなる。【選択図】図１
2016211522.tif 000002
【特許請求の範囲】
【請求項１】
バンケル型ロータリーエンジンの点火方法に於いて、ハウジング内周面の上死点またはそ
の近辺に絶縁体で囲まれた電極をハウジング内周面から外部へ貫通する様に取り付けこれ
を中心電極とし、なお且つハウジング内側の形状はハウジング内周面と面を合わせて極力
アペックスシールが通過時に圧縮ガスが漏れないようにする。また対向するロータリセス
部に固定した導体の一方の端をローターの回転による放電間隙の変化を少なくするために
回転方向に長くして取り付けたことを特徴とする点火方法。
【発明の詳細な説明】
【技術分野】
【０００１】
本発明はバンケル型ロータリーエンジン点火方法の技術に関する
【背景技術】
【０００２】
従来のバンケル型ロータリーエンジンの点火プラグは単体で両極を持ち、その中で放電
し混合気に点火するものである為にローターの頂点にあるアペックスシールが点火プラ
グの電極に触れないようにハウジングに点火プラグ孔を設けなければならない。
【０００３】
アペックスシールの厚みよりも大きい点火プラグ孔をアペックスシールが通過するとき
圧縮ガス漏れがある。また点火は点火プラグの中から始まり点火プラグ孔を通り燃焼室で
爆発までには時間的に遅れが生じ高速回転には不利である。
【発明の概要】
【発明が解決しようとする課題】
【０００４】
従来の点火プラグは単体で両極が有るために放電は点火プラグ孔の中でしかできないので
ある、これを燃焼室に近いところで放電させ爆発までの時間を短くしたい。
【０００５】
アペックスシールが点火プラグの位置を通過しても気密を保ちたい。
【課題を解決するための手段】
【０００６】
従来の点火プラグの中心電極と接地電極を分離して、ハウジング1内周面の上死点またはその近辺に絶縁体2で囲まれた電極をハウジング内周面から外部へ貫通する様に取り付けこれを中心電極3とし（図１）、なお且つハウジング内側の形状はハウジング内周面と面を合わせて極力アペックスシール4が通過時に圧縮ガスが漏れないようにする。
【０００７】
これと同様にして接地電極12を横にすなわち回転軸に平行に並べて取り付ける。（図２）
【０００８】
ロータリセス部6に導体7の一方の端をローターの回転による放電間隙の変化を少なくするために回転方向に長くして中心電極3に放電可能な間隙を空けて対向させて取り付け、他端も接地電極12に同様に取り付ける。
【０００９】
点火装置の電源を中心電極3と接地電極12にのみ接続する。ハウジング1には接続しない。（図２）
【発明の効果】
【００１０】
このエンジンのロスが少なくなり燃費が良くなり出力も高くなる。
【図面の簡単な説明】
【００１１】
【図１】１実施例としての概略構成図
【図２】上死点で両電極があるA-A断面図
【図３】上死点で中心電極のみがあるA-A断面図
【図４】両電極に対向した導体があるローター平面図
【発明を実施するための形態】
【００１２】
ハウジング内周面の両電極を回転方向に長くし、対向するロータリセス部の両電極の導体も回転方向に長くしローター本体に直接取り付け又は鋳造の段階で組み込めば製作も楽である。ハウジング内周面の電極とロータリセス部の導体を共に長くするのはよりタイミングを取りやすくする為である。
【００１３】
また、ハウジング上死点近辺に中心電極と接地電極を一対にした電極を複数設けそれぞれ対ごとに異なるタイミングで印加すればエンジンのよりよい状態で動かせる。
【００１４】
放電痕を可とするならばハウジングに中心電極3だけを設けこれに対向してロータリセス6部に導体を直接取り付けて(図3)、中心電極3とハウジング1に電源を繋ぎローターのギア8、固定ギア9、アペックスシール4やサイドシール10やコーナーシール11等を通して接地側に電流を流す。こうすれば簡素な構造で作れる。
【符号の説明】
【００１５】
1  ハウジング
2  絶縁体
3  中心電極
4  アッペクスシール
5  ローター
6  ロータリセス
7  導体
8  ローターのギア
9  固定ギア
10  サイドシール
11  コーナーシール
12  接地電極
【図１】
2016211522.tif 000003
【図２】
2016211522.tif 000004
【図３】
2016211522.tif 000005
【図４】
2016211522.tif 000006
(57)【要約】【課題】現在、自然エネルギーの活用は重要な課題であり、風車による発電事業等が進んでいるが、一般的に風車の羽根が大きく、また重いため、羽根が折れるなどの事故が多発している。また、大きい羽根の回転によって低周波音が発生して近隣住民の健康被害も問題視されている。【解決手段】上記の課題を解決するため、羽根を従来のものより小さくし、羽根の数を多くする。【選択図】図１
2016211530.tif 000002
【特許請求の範囲】
【請求項１】
風車の羽根を４枚以上とすること
【請求項２】
風車の羽根の形状
【請求項３】
風車の羽根全体の先端をつなぐこと
【発明の詳細な説明】
【技術分野】
【０００１】本発明は、風力発電等に用いられている従来の風車の羽根の形と羽根の数を根本的に変えるものである。
【背景技術】
【０００２】従来の風車は、羽根が長く、また重いため羽根が折れるなどの事故が多発している。また、低周波音発生による近隣住民の健康被害も問題視されている。
【発明の概要】
【発明が解決しようとする課題】
【０００３】風車の羽根折れ事故をなくすること。また低周波音の発生を低減させること。
【課題を解決するための手段】
【０００４】風車の羽根を従来の大きく重いプロペラ状のものから、小さく軽いプロペラを多数組み合わせたものとする。
【発明の効果】
【０００５】風車の羽根を小さくして羽根の数を多くし、羽根全体の先端をつなぐことにより、強風などにも強い風車となる。
また、羽根が小さくなることにより低周波音の発生が低減される。
なお、羽根が小さくなっても羽根の数が多くなるため回転力は落ちない。
【実施例】
【０００６】
【図面の簡単な説明】
【０００７】
【図１】風車の羽根を１６枚にした例で、羽根の先端をつないだ正面図である
【図２】同じく側面図である
2016211530.tif 000003
【図１】
2016211530.tif 000004
【図２】
2016211530.tif 000005
【図３】
2016211530.tif 000006
【図４】
2016211530.tif 000007